(57)【特許請求の範囲】
【請求項１】
ボックス部(１１)と、これに接続された蓋(１２)を有し、 ボックス部(１１)は、ボックス前部壁(１３)と、ボックス後部壁(１４)と、ボックスの両側部壁(１５，１６)および底部壁(１７)を備え、底部区域に閉じられる開口部（２５）をもち、以下の点に特徴を有するカードボード製のパック。
ａ）開口部（２５）は角度の付いた閉鎖用フラップ(２４)により閉じられている。
ｂ）閉鎖用フラップ（２４）は、ボックス後部壁(１４)の区域に１つの脚部(２６)を、底部壁(１７)の区域に別の脚部(２７)を備えて延出している。
ｃ）閉鎖用フラップ（２４）は、横断方向を向くヒンジ結合部(２８)を介して、ボックス後部壁(１４)に接続されている。
ｄ）閉鎖用フラップ(２４)は、閉じた位置においては、底部壁（１７）に設けられる脚部(２７)によってボックス部（１１）に固定され、その脚部（２７）は、内側において底部壁(１７)と向き合って接し、ボックスの両側部壁（１５，１６）に接続されている底部コーナータブ(２０，２１)の上で位置決めされている。
【請求項２】
閉鎖用フラップ(２４)は、脆弱線あるいは打ち抜き線(３３)によってパック用のブランク内に規定され、脆弱線あるいは打ち抜き線(３３)の区域における残存接続部を取り除くことによって、閉鎖用フラップ(２４)がボックス後部壁(１４)とボックス底部壁(１７)から切断されることができる点に特徴を有する請求項１記載のパック。
【請求項３】
閉鎖用フラップ(２４)は、閉じた位置においては、パックの縁部と向き合って接するトング（３２）を有し、そのトング（３２）は、２つの脚部(２６，２７)の間の屈折線(２９)の区域に形成され、底部コーナータブ(２０，２１)と向き合って接する点に特徴を有する請求項１記載のパック。
【請求項４】
開口部(２５)の区域において、パック挿入物を収容するために、パック内部に部屋(３５)が形成される点に特徴を有する請求項１記載のパック。
【請求項５】
部屋(３５)は、パック内容物としてのシガレットブロック(１０)直ぐ下に形成される点に特徴を有する請求項４記載のパック。
【発明の詳細な説明】
【０００１】
この発明は、ボックス部と、これに回動可能に接続された蓋とを備え、ボックス部は、ボックス前部壁と、ボックス後部壁と、ボックスの両側部壁と、底部壁とからなる(薄い)カードボード製のパック、特に、ヒンジ蓋付きボックスタイプ(ヒンジ蓋付きパック)のシガレットパックに関する。この発明はまた、そのようなパックを製造するためのブランクにも関する。
【０００２】
シガレットパックとしてのヒンジ蓋付きボックスは、広く普及している。ヒンジ蓋付きボックスの従来の構造によれば、蓋は、蓋の後部壁の区域において、ボックス後部壁に回動可能に接続される。ボックス部には、別体のブランク、特に、ボックス前部壁とボックスの両側部壁の区域においてボックス部から突出し、ヒンジ蓋付きボックスが閉じた位置では蓋によって閉じられる別体のブランクからなるカラーが前もって固定される。パックの内容物、すなわち、シガレットグループは、紙、錫箔などから作られる内側包装材によって囲まれ、ヒンジ蓋付きボックスの内部をほぼ充填するシガレットブロックを形成する。
【０００３】
この発明の目的は、特に、構造と利用性の観点において、シガレット用のヒンジ蓋付きボックスを改良することである。
【０００４】
この目的を達するため、この発明のパックは、閉鎖用フラップによって閉じられる開口部が、底部壁に隣り合う底部区域に形成される点に特徴を有する。
【０００５】
ボックス部に形成される(追加的な)開口部が、特に、パックの内容物に付随する挿入物の収容を可能にする。前記の挿入物は、情報、広告或いは商品の抽選に参加するためのクーポン等を伴うプリント媒体をボックス部内に配置するためのものであって、前記挿入物は、シガレットの取り出しとは独立して別に取り出すためのものである。この発明の別の特徴によれば、この開口部は、好ましくは、閉鎖用フラップが、その一部がボックス後部壁の区域において、他の一部が底部壁の区域においてコーナー部の周囲に延出するように、ボックス後部壁および／または底部壁の区域に形成される。閉鎖用フラップが開いた位置においては、これが、ボックス後部壁と底部壁の両区域において中央に延出することが好ましい(取り除くことが可能な)開口部を作り出す。閉鎖用フラップを回動可能にするヒンジ線における洗練性が底部壁から離間して、かつこれに平行に、形成されることが有利である。
【０００６】
特に有利なのは、パックの内容物すなわちシガレットブロックが、特に、ボックス部内部に形成される横方向の支持部材によって、ボックス部の底部壁から離間して配置されることである。このことは、ボックス部の底部区域に挿入物を、例えば、シガレットブロックのために横方向に設けられた支持部材同士の間に収容するための部屋を作り出す。この開口部または閉鎖用フラップは、シガレットブロックの真下に形成される部屋へのアクセスが開口位置に存在するように配置される。
【０００７】
閉鎖用フラップは、その一方の脚部が、閉鎖位置において、底部壁の上側または底部コーナータブの上方に配置される挿入フラップとして機能するように設計される。
【０００８】
ボックス部において閉鎖可能な開口部を備えるヒンジ蓋付きボックスを製造するためのブランクもまた、特定の設計を備える。この閉鎖用フラップは、ブランクの製造工程中に具備される打ち抜き線または穿孔線によって形成される。
【０００９】
この発明のパックの別の細部は、添付図面を参照しつつ以下に詳細に説明する。
【００１０】
図は、ヒンジ蓋付きボックスタイプのシガレットパックの構造に関する。したがって、薄いカードボードから製造される直方体パックの内容物は、シガレットのグループによって形成され、紙、錫箔等から製造される内側ブランクによって包まれるので、多少とも直方体のシガレットブロック１０を形成する。
【００１１】
シガレットブロックを収容する標準構造のヒンジ蓋付きボックスは、(底部)ボックス部１１と、これに一体に接続された蓋１２を有する。ボックス部１１は、ボックス前部壁１３、ボックス後部壁１４、幅の狭い直立するボックスの両側部壁１５、１６および底部壁１７を備える。ボックスの両側部壁１５、１６はそれぞれ、２つの互いに重なる側部タブ１８、１９(図７)を有する。重ねたとき内側になる内側側部タブ１８は、ボックス後部壁１４に、重ねたとき外側になる外側タブ外側側部タブ１９は、ボックス前部壁１３に接続される。底部コーナータブ２０、２１は、内側側部タブ１８に設けられる。ヒンジ蓋付きボックスの折り曲げが完成すると、前記の底部コーナータブは底部壁１７の内側と向き合って接する。
【００１２】
蓋１２は、ボックス部１１と同様に設計され、横断方向の関節線２３を介して蓋の後部壁２２の区域においてボックス後部壁１４に回動できるように接続される。
【００１３】
このヒンジ蓋付きボックスは、閉鎖用フラップ２４によって閉じられる(別の)開口部２５を備える(図２参照)。前記開口部は、ヒンジ蓋付きボックスすなわちボックス部１１の底部に配置される。好ましい模範具体例においては、この開口部２５は、ボックス後部壁１４における１つのサブ区域と底部壁１７における１つの隣接サブ区域を備えるコーナー部を囲んで延出する。この閉鎖用フラップ２４は対応する、すなわち角度のついた設計を呈する。一方の脚部２６はボックス後部壁１４の一部である。他方の脚部２７は、同時に、ヒンジ蓋付きボックスすなわちボックス部１１内に押し込むための閉鎖用フラップ２４のための挿入フラップである。
【００１４】
この閉鎖用フラップ２４は、パックのブランクに、詳しく言えば横断方向を向くヒンジ線２８を介してボックスの後部壁１４に回動可能に接続される。開いたり閉じたりする目的で、この閉鎖用フラップは、前記ヒンジ線２８を中心に回動される(図５、図６参照)。
【００１５】
二つの脚部２６、２７は、横断方向を向く屈折線２９の区域において互いに接続される。この屈折線２９は、ボックス部１１の底部の横断方向を向く折り曲げ縁部３０の連続部分として設計される。この折り曲げ縁部３０は、ボックス後部壁１４を底部壁１７から分離する。この屈折線２９は、特定の構造、すなわち、フラットなＵ字状の打ち抜き部３１(図７)を備える。これらは、脚部２６の突出部または連続部をなす小さな幅の狭いトング３２を区画する(図２，５、６，７)。閉鎖用フラップ２４が閉じた位置においては、これらのトング３２は、ストッパーまたは支持部材として、パック部すなわち内側において底部壁１７に接する底部コーナータブ２０、２１と向き合って隣接する。
【００１６】
閉鎖用フラップ２４は、パック用のブランクの一部である。このトング状の閉鎖用フラップ２４は、必須要件としてＵ字状またはＶ字状の打ち抜き線３３によってブランク内に規定される(図７)。中央の打ち抜き切断部３４は、閉鎖用フラップ２４がブランクから切り離されることを容易にする。
【００１７】
閉じた位置においては、閉鎖用フラップ２４は、パック内に挿入することによって固定される。水平脚部２７は、この場合、挿入用フラップとして機能する。この脚部２７は、これが底部コーナータブ２０、２１の上方の面内に配置されるようにボックス部１１内に導入される(図３、図６)。底部コーナータブ２０、２１は閉じた位置において脚部２７を保持する。この場合、開口部２５は、底部壁１７の区域において、底部コーナータブ２０、２１によって部分的に重ねられるように形状および／または大きさが決められる(図２参照)。
【００１８】
パック、特に、閉鎖用フラップ２４を備えるヒンジ蓋付きボックスは、パックの内容物すなわちシガレットブロック１０がヒンジ蓋付きボックスの(内側の)高さよりも低い高さを備えるならば、特に有利に利用することができる。このことは、底部区域において、すなわち、シガレットブロック１０の直ぐ下に、ボックス部１１の内部に部屋３５が生じる結果となる。前記の部屋３５は、パックの挿入物を収容する機能を果たすことができる。図示の模範具体例では、プリント媒体３６がヒンジ蓋付きボックスの底部すなわち部屋３５内に配置される。前記プリント媒体は、情報、広告等がプリントされた薄いブランクであって、もし妥当ならば、賞品が当る抽選に参加するためのクーポンとして適切である。このプリント媒体は、アコーディオンの態様で折り畳まれ、この態様で部屋３５内に配置される。このプリント媒体３６は、開口部２５を介して部屋３５から取り出すことができる。
【００１９】
高さが比較的低いシガレットブロック１０を備えるヒンジ蓋付きボックスにおいては、ボックス部１１の底部区域に支持部材を配することが有利である。今の場合は、２つの横方向支持部材３７、３８が設けられ、シガレットブロック１０がその上に載置される。部屋３５は、支持部材３７、３８の中間に形成される。プリント媒体３６は、部屋３５内にフィットするように対応した大きさに形成される。
【００２０】
支持部材３７、３８は、打ち抜きと折り曲げによってヒンジ蓋付きボックスのブランクから、具体的には、ＵＳ特許第４，２４１，８２７号と同様に形成される。この目的で、ブランクが、内側の側部タブ１８と、これに接続された底部のコーナータブ２０，２１の区域に２つの平行な分離切断部３９、４０を備えて設けられる。これらは、折り曲げフラップ４１を規定する(図７参照)。折り曲げフラップ４１の両端部には、折り曲げ線４２、４３が形成され、これらは、点線で図示されており、別に偏心して形成された折り曲げ線４４と相互作用を行い、折り曲げフラップ４１が角度的に直立状態で固定されることを可能にする。シガレットブロック１０のための角度の付与された支持部材３７、３８は、ヒンジ蓋付きボックスの製造中、コーナー部と底部壁１７の境界区域にこのようにして形成される。
【００２１】
閉鎖用フラップ２４がヒンジ蓋付きボックスの他の場所、例えば、前部壁１３と底部壁１７の区域のみならず、ボックス前部壁１３またはボックス後部壁１４からのコーナー部、および、ボックスの両側部壁１５、１６に同様に配置することも可能である。
参照符号一覧
１０…シガレットブロック              ２８…ヒンジ線
１１…ボックス部                      ２９…屈折線
１２…蓋                              ３０…折り曲げ縁部
１３…ボックス前部壁                  ３１…打ち抜き部
１４…ボックス後部壁                  ３２…トング
１５…ボックス側部壁                  ３３…打ち抜き線
１６…ボックス側部壁                  ３４…打ち抜きカット部
１７…底部壁                          ３５…部屋
１８…側部タブ                        ３６…プリント媒体
１９…側部タブ                        ３７…支持部材
２０…底部コーナータブ                ３８…支持部材
２１…底部コーナータブ                ３９…切断部
２２…蓋の後部壁                      ４０…切断部
２３…関節線                          ４１…折り曲げフラップ
２４…閉鎖用フラップ                  ４２…折り曲げ線
２５…開口部                          ４３…折り曲げ線
２６…脚部                            ４４…折り曲げ線
２７…脚部
【図面の簡単な説明】
【図１】  閉鎖用フラップが最初に開かれる前のヒンジ蓋付きボックスの底部斜視図。
【図２】  閉鎖用フラップが開かれた図１のパック。
【図３】  閉鎖用フラップが閉じた位置にあるパック。
【図４】  ヒンジ蓋付きパックの背面図。
【図５】  閉鎖用フラップが開いた図４のヒンジ蓋付きボックスの垂直断面図。
【図６】  図４のヒンジ蓋付きボックスのVI‐VI断面に沿う垂直断面図。
【図７】  図１〜図６のヒンジ蓋付きボックスを製造するためのブランク。
【図１】
0004176964.tif 000002
【図２】
0004176964.tif 000003
【図３】
0004176964.tif 000004
【図４】
0004176964.tif 000005
【図５】
0004176964.tif 000006
【図６】
0004176964.tif 000007
【図７】
0004176964.tif 000008